(57)【要約】【課題】ポンプ室の両側面の合わせ面精度やシール性を十分に確保して、ポンプ効率の低下のほか摺動部位の偏摩耗や摩擦抵抗の増加等の二次的不具合を抑制する。【解決手段】電動モータ５の回転子７の内周側にポンプ部８が配置されている電動ポンプである。ハウジング本体３およびカバー４とからなるハウジング２と、複数のコイル１５を有している固定子６と、内側のアウタロータ１６と外側の回転子本体１７とで形成された回転子７と、回転子７の両側のサイドプレート１１，１２と、インナロータ９と、アウタロータ１６とインナロータ９との間に介装された複数の連結プレート１０と、を備えている。一対のサイドプレート１１，１２のうち一方のサイドプレート１２が、圧縮コイルスプリング２８により回転子７に押し付けられている。【選択図】図１
2018096269.tif 000002
【特許請求の範囲】
【請求項１】
固定子と共に電動モータを形成している回転子の内周側に当該電動モータによって回転駆動されるポンプ部が配置されている電動ポンプであって、
密閉構造のハウジングと、
上記ハウジング内に収容されて周方向に複数のコイルを有している固定子と、
上記固定子の内周側に配置されてポンプ部のアウタロータを兼ねた回転子と、
上記回転子の両側に配置された一対のサイドプレートと、
上記回転子の内周側に偏心して配置されて当該回転子および一対のサイドプレートと共にポンプ部のポンプ室を形成していて、上記回転子の回転に伴って回転するインナロータと、
を備えていて、
上記一対のサイドプレートのうち少なくとも一方のサイドプレートが弾性部材により回転子に押し付けられていることを特徴とする電動ポンプ。
【請求項２】
上記回転子は、
上記一対のサイドプレートおよびインナロータと共にポンプ部のポンプ室を形成しているアウタロータと、
上記アウタロータの外周側に嵌め合わされていて固定子側のコイルに対応する永久磁石が設けられた回転子本体と、
から形成されていることを特徴とする請求項１に記載の電動ポンプ。
【請求項３】
上記ポンプ部は、
上記アウタロータと一対のサイドプレートおよびインナロータに加えて、
一端が上記アウタロータに揺動可能に支持されると共に、他端がインナロータに摺動可能に嵌め合わされていて、上記アウタロータとインナロータとの間のポンプ室空間を複数の領域に隔離しているプレート部材を有していることを特徴とする請求項２に記載の電動ポンプ。
【請求項４】
上記ハウジングは、
上記回転子の軸心方向で二分されたハウジング本体とカバー部材とで形成されていて、
上記アウタロータとインナロータおよびそれらの両側の一対のサイドプレートがハウジング本体とカバー部材とで圧締保持されていることを特徴とする請求項３に記載の電動ポンプ。
【請求項５】
上記アウタロータはその周縁部に回転子本体よりも長さの大きなリム部を有していると共に、
上記リム部の長さ方向の両端部内周面とハウジング本体またはカバー部材との間にそれぞれに軸受が介装されていて、
上記アウタロータと回転子本体とで形成される回転子が上記軸受により回転可能に両持ち支持されていることを特徴とする請求項４に記載の電動ポンプ。
【発明の詳細な説明】
【技術分野】
【０００１】
本発明は、電動モータとポンプ部とが一体化されたいわゆるモータ一体型で且つ容積式の電動ポンプに関する。
【背景技術】
【０００２】
例えば自動車のエンジンや変速機のオイルポンプ等として用いられるモータ一体型の電動ポンプとして、電動モータの回転子の内周側にポンプ部が配置されたタイプものが特許文献１〜３にて提案されている。
【０００３】
これらの特許文献１〜３に開示されたモータ一体型の電動ポンプでは、電動モータの回転子が容積型のポンプ部のアウタロータを兼ねていて、そのアウタロータの内周側に所定の間隙を隔てて同じくポンプ要素であるインナロータが偏心して配置されている点で共に共通している。そして、アウタロータとインナロータとでトロコイド式あるいは他の形式のポンプ部が形成されていて、アウタロータの回転に追従してインナロータが回転することで、両者の間の空間をポンプ室として所定のポンプ機能が発揮されるようになっている。
【先行技術文献】
【特許文献】
【０００４】
【特許文献１】特開２０１１−７８４３号公報
【特許文献２】特開２０１２−６７７３５公報
【特許文献３】特開２０１２−４１８６７号公報
【発明の概要】
【発明が解決しようとする課題】
【０００５】
しかしながら、これらのモータ一体型の電動ポンプでは、電動モータの回転子の内周側にポンプ部が配置される構造上の特殊性から、特許文献１，３に記載されているように、ポンプ室の両側面を規制しているハウジング部材をポンプ部の中心から径方向に大きく離れた位置にてボルト締結する構造とならざるを得ない。そのため、ハウジング部材を肉厚が大きく且つ剛性の高いものにしないかぎりは、上記ボルト締結力をもってハウジング部材とアウタロータおよびインナロータとを正確に密着させることが難しく、ポンプ室の両側面の合わせ面精度の低下やシール性の低下が危惧される。その結果として、液漏れ等によるポンプ効率の低下や摺動部位の偏摩耗、さらには摩擦抵抗の増加を招きやすくなり、モータ一体型の電動ポンプとしてなおも改善の余地を残している。
【０００６】
本発明はこのような課題に着目してなされたものであり、ポンプ室の両側面の面合わせ精度やシール性を十分に確保して、ポンプ効率の低下のほか摺動部位の偏摩耗や摩擦抵抗の増加等の二次的不具合を抑制できるようにしたモータ一体型の電動ポンプを提供するものである。
【課題を解決するための手段】
【０００７】
本発明は、固定子と共に電動モータを形成している回転子の内周側に当該電動モータによって回転駆動されるポンプ部が配置されている電動ポンプであって、  密閉構造のハウジングと、上記ハウジング内に収容されて周方向に複数のコイルを有している固定子と、上記固定子の内周側に配置されてポンプ部のアウタロータを兼ねた回転子と、上記回転子の両側に配置された一対のサイドプレートと、上記回転子の内周側に偏心して配置されて当該回転子および一対のサイドプレートと共にポンプ部のポンプ室を形成していて、上記回転子の回転に伴って回転するインナロータと、を備えている。その上で、上記一対のサイドプレートのうち少なくとも一方のサイドプレートが弾性部材により回転子に押し付けられていることを特徴とするものである。
【０００８】
この場合において、上記回転子に関して、電動モータに要求される機能とポンプ部に要求される機能とを両立する上では、上記回転子は、上記一対のサイドプレートおよびインナロータと共にポンプ部のポンプ室を形成しているアウタロータと、上記アウタロータの外周側に嵌め合わされていて固定子側のコイルに対応する永久磁石が設けられた回転子本体と、から形成されていて、いわゆる機能分割されていることが望ましい。
【０００９】
また、上記ポンプ部としては、構造的に成立するならば、トロコイド式あるいは他の形式のポンプ部でも良いが、ここでは、上記ポンプ部は、例えば、上記アウタロータと一対のサイドプレートおよびインナロータに加えて、一端が上記アウタロータに揺動可能に支持されると共に、他端がインナロータに摺動可能に嵌め合わされていて、上記アウタロータとインナロータとの間のポンプ室空間を複数の領域に隔離しているプレート部材を有している構造のものとする。
【００１０】
また、ハウジングのより具体的な構造として、上記ハウジングは、上記回転子の軸心方向で二分されたハウジング本体とカバー部材とで形成されていて、上記アウタロータとインナロータおよびそれらの両側の一対のサイドプレートがハウジング本体とカバー部材とで圧締保持されていることが、各部材同士の密着性向上の上で望ましい。
【００１１】
さらに、回転子の回転性能に着目した場合には、上記アウタロータはその周縁部に回転子本体よりも長さの大きなリム部を有していると共に、上記リム部の長さ方向の両端部内周面とハウジング本体またはカバー部材との間にそれぞれに軸受が介装されていて、上記アウタロータと回転子本体とで形成される回転子が上記軸受により回転可能に両持ち支持されていることが望ましい。
【００１２】
したがって、本発明では、一対のサイドプレートのうち少なくとも一方のサイドプレートが弾性部材の弾性力により回転子に押し付けられていることにより、内周側にインナロータを有し且つポンプ部のアウタロータを兼ねている回転子が双方のサイドプレート間に弾性力で挟み込まれるかたちとなる。そのため、ポンプ部のアウタロータを兼ねている回転子およびインナロータと双方のサイドプレートとが確実に密着するようになり、その密着状態を安定して維持できることになる。
【発明の効果】
【００１３】
本発明によれば、ポンプ室を形成している一対のサイドプレートのうち少なくとも一方のサイドプレートが弾性部材により回転子に押し付けられていて、いわゆるフローティング構造となっているため、一対のサイドプレートとポンプ部のアウタロータを兼ねている回転子およびインナロータを互いに密着させることが可能となって、ポンプ室の両側面の面合わせ精度やシール性を十分に確保でき、ポンプ効率の低下や摺動部位の偏摩耗さらには摩擦抵抗の増大化を抑制できる。
【図面の簡単な説明】
【００１４】
【図１】本発明に係る電動ポンプを実施するためのより具体的な第１の形態を示す図で、図２のＢ−Ｂ線に沿った断面図。
【図２】図１のＡ−Ａ線に沿った断面図。
【図３】図１，２に示した電動ポンプのカバーを取り外したときの分解斜視図。
【発明を実施するための形態】
【００１５】
図１〜３は本発明に係る電動ポンプを実施するためのより具体的な第１の形態を示し、特に図１は電動ポンプ１の全断面図として図２のＢ−Ｂ線に沿った断面図を示していて、図２は図１のＡ−Ａ線に沿った断面図を示している。さらに、図３は図１，２に示した電動ポンプ１のカバー４を取り外したときの分解斜視図を示している。
【００１６】
図１〜３に示した電動ポンプ１は、ハウジング本体３とカバー４とで密閉された円形状のハウジング２内に、後述する電動モータ５とポンプ部８とが同心状に且つ軸心方向位置が一致するように収容配置されているものであり、ハウジング２を含む全体形状が略偏平形状をなしている。
【００１７】
図１，２に示すように、電動モータ５は、ハウジング２の円形内部空間の外周部を占める円環状の固定子（ステータ）６と、この固定子６の内側の内部空間を占める円筒状の回転子（ロータ）７と、から形成される。他方、回転子７は後述するポンプ部８のアウタロータを兼ねていて、ポンプ部８は、この回転子７と、回転子７の内周側に所定の隙間を隔てて偏心して配置されたインナロータ９と、回転子７とインナロータ９との間に放射状に介装された複数の連結プレート１０と、インナロータ９の両側に配置される後述する一対のサイドプレート１１，１２と、から構成されている。
【００１８】
これらの電動モータ５とポンプ部８とを収容しているハウジング２は、図１，３に示すように、固定子６または回転子７の軸心方向においてハウジング本体３とカバー部材としてのカバー４とに二分割されたいわゆる半割り構造のものとして形成されている。そして、ハウジング本体３とカバー４とを突き合わせた上で、二本のボルト１３により締結固定される。
【００１９】
電動モータ５の固定子６は、円環状をなす金属製のステータコア１４の内周側に複数のティース部１４ａが等ピッチで突出されていて、これらの各ティース部１４ａにコイル１５を巻回した周知の構造のものであり、ティース部１４ａを含む各コイル１５が磁極を形成している。他方、電動モータ５の回転子７はポンプ部８のアウタロータを兼ねているものであることは先に述べた通りである。本実施の形態では、電動モータ５の回転子として要求される機能と、ポンプ部８のアウタロータして要求される機能とを十二分に充足するべく、回転子７の内周側と外周側とで材質的に機能分割された複合構造となっていて、回転子７は、内周側の中空円筒状のアウタロータ１６と、そのアウタロータ１６の外周側に嵌め合わされた同じく中空円筒状の回転子本体１７と、で形成されている。
【００２０】
そして、内周側のアウタロータ１６が単一金属材料製のものであるのに対して、外周側の回転子本体１７は例えば電磁鋼板等の鋼板積層体により形成されている。さらに、回転子本体１７には円周方向の等ピッチ位置に軸心方向に貫通する複数（固定子６側のコイル１５と同数）のスロット部１８が形成されていて、これらの各スロット部１８に永久磁石１９が挿入された上で接着剤にて固定されている。なお、図１，２に示すように、固定子６側の各ティース部１４ａと回転子本体１７の外周面との間には、いわゆるエアギャップに相当する微小隙間が確保されている。
【００２１】
また、図１に示すように、先に述べた回転子本体１７と共に回転子７を形成しているアウタロータ１６は、その外周縁部に回転子本体１７よりも長さ（軸心方向長さ）が大きく且つ段差を有するリム部２０が形成されていて、このリム部２０は回転子本体１７の両端から突出している。そして、回転子本体１７の両端面に例えばアルミニウム板等の非磁性体からなるエンドプレート２１を重ねて永久磁石１９を被覆した上で、その回転子本体１７をアウタロータ１６のリム部２０の小径部に圧入すると共に、ストッパーリング２２を圧入することで、アウタロータ１６の外周に回転子本体１７が一体的に固定されている。これにより、少なくとも回転子本体１７は固定子６と共に永久磁石埋め込み型の電動モータ５を形成している。
【００２２】
なお、非磁性体からなるエンドプレート２１は、回転子本体１７に埋め込まれた永久磁石１９の磁束漏れによる出力低下を抑制するために設けられる。また、アウタロータ１６と回転子本体１７とからなる回転子７全体が鋼板積層体または他の金属材料で一体のものとして形成される場合には、当該回転子７は電動モータ５の回転子７とポンプ部８のアウタロータ１６とを兼ねるものであることは先に述べた通りである。
【００２３】
図１，２に示すように、アウタロータ１６の内周側にはそれ自体の軸心位置から偏心した位置に、アウタロータ１６の内径よりも小径の円筒状のインナロータ９がアウタロータ１６の内周面に内接するように配置されていて、両者の間の空間が容積型のポンプ部８のポンプ室Ｐとなっている。インナロータ９には外周面に開口しつつ径方向に延びる複数の角溝状のスロット部２３が等ピッチで且つ放射状に形成されている。そして、各スロット部２３にはプレート部材としての変形ベーン状をなす連結プレート１０が摺動可能に、すなわち各スロット部２３から出没可能に挿入支持されている。各連結プレート１０は断面形状が略鍵穴状をなしていて、インナロータ９側の基部が太く、反対側のアウタロータ側の先端部が基部よりも細い円筒状の揺動軸部１０ａとして形成されている。
【００２４】
他方、アウタロータ１６の内周面には軸心方向に延びる円筒スロット状の複数の支持孔２４が等ピッチで形成されていて、これらの支持孔２４に各連結プレート１０の揺動軸部１０ａが回動可能に嵌合支持されている。これにより、各連結プレート１０は揺動軸部１０ａを回転中心として揺動可能であって且つアウタロータ１６からの離脱が阻止されていると共に、インナロータ９のスロット部２３から基部が抜け出さない程度に当該スロット部２３から出没可能となっている。このように、アウタロータ１６とインナロータ９との間に複数の連結プレート１０が架橋的に配置されていることによって、アウタロータ１６とインナロータ９との間に形成されたポンプ室Ｐが複数の領域に隔離されるようになっている。
【００２５】
図１に示すように、ハウジング本体３の内底面の中央部には、固定子６に臨む空間Ｒ１を残して比較的大径の支持凸部３ａが形成されている。同様に、カバー４の内底面の中央部には、固定子６に臨む空間Ｒ２を残して環状の支持凸部４ａが形成されている。そして、ハウジング本体３側の支持凸部３ａおよびカバー４側の支持凸部４ａと、アウタロータ１６におけるリム部２０の長さ方向両端部との間には、それぞれに軸受としてボールベアリング２５，２６が介装されている。これにより、ハウジング本体３およびカバー４側のそれぞれの支持凸部３ａ，４ａに両持ち支持されるかたちでアウタロータ１６が、ひいては回転子７が回転可能に軸受支持されている。
【００２６】
インナロータ９の両側面には、アウタロータ１６の一部にまたがるかたちでハウジング本体３側のサイドプレート１１とカバー４側のサイドプレート１２とが配置されている。これらの双方のサイドプレート１１，１２があることによって、図１に示すように、アウタロータ１６とインナロータ９との間に形成されたポンプ室Ｐが軸心方向においても隔離されていることになる。これにより、アウタロータ１６、インナロータ９、連結プレート１０および双方のサイドプレート１１，１２により容積型のポンプ部８が形成されている。
【００２７】
また、図１に示すように、インナロータ９およびハウジング本体３側のサイドプレート１１を貫通して、ハウジング本体３側の支持凸部３ａおよびカバー４側のサイドプレート１２にまたがるかたちで段付き軸状の軸部材２７が配置されている。この軸部材２７は長手方向の中央部でインナロータ９を回転可能に支持している一方、長手方向の両端部はハウジング本体３側の支持凸部３ａおよびカバー４側のサイドプレート１２に嵌合支持されている。このように、ハウジング本体３側の支持凸部３ａに嵌合支持された軸部材２７を基準に、ハウジング本体３側のサイドプレート１１、インナロータ９およびカバー４側のサイドプレート１２がそれぞれ組み付けられていることにより、各部材間の相対位置決めがなされている。
【００２８】
図１に示したカバー４側のサイドプレート１２の背面側には段付き状のボス部１２ａが形成されていて、このボス部１２ａがカバー４側における環状の支持凸部４ａの内周に軸心方向で摺動可能に嵌合支持されている。また、ボス部１２ａの小径部の外周には弾性部材として圧縮コイルスプリング２８が配置されていて、この圧縮コイルスプリング２８はボス部１２ａとカバー４側の支持凸部４ａの内底面との間に圧縮状態で介装されている。これにより、カバー４側のサイドプレート１２はいわゆるフローティング構造のものとなっていて、インナロータ９およびアウタロータ１６に対してサイドプレート１２が圧縮コイルスプリング２８の弾性力で押し付けられている。このことは、インナロータ９およびアウタロータ１６とそれらを挟んで両側に配置された双方のサイドプレート１１，１２とが、互いに密着するように押し付けられていることにほかならない。これらによって、インナロータ９とアウタロータ１６および双方のサイドプレート１１，１２との間での密着性ひいてはシール性が確保されていることになる。
【００２９】
また、図１，２に示すように、ハウジング本体３側のサイドプレート１１にはポンプ室Ｐに連通する吸入口２９と吐出口３０とが形成されている。その一方、カバー４側のサイドプレート１２にも連結プレート１０が挿入されるインナロータ９側のスロット部２３を介して吸入口２９と吐出口３０にそれぞれ連通する凹部３１，３２が形成されている。吸入口２９と吐出口３０はハウジング本体３に形成された図示外の吸入ポートと吐出ポートにそれぞれ接続されている。また、双方のサイドプレート１１，１２のうちインナロータ９と対向する内側面には、軸部材２７を取り囲むように環状溝３３，３４がそれぞれに形成されている。そして、一方のサイドプレート１１に形成された吸入口２９や吐出口３０および環状溝３３に相当する部分、および他方のサイドプレート１２に形成された凹部３１，３２や環状溝３４に相当する部分では、インナロータ９の側面との間に微小隙間としてサイドクリアランスがそれぞれに設定されている。
【００３０】
ここで、本実施の形態では、電動ポンプ１がオイルポンプである場合を想定していて、双方のサイドプレート１１，１２に形成された環状溝３３，３４は、各サイドプレート１１，１２とインナロータ９との摺動部での油潤滑のために、圧送対象となるオイルの一部を潤滑油として保有する空間となっている。
【００３１】
また、ハウジング本体３側のサイドプレート１１に形成された吸入口２９または吐出口３０は、例えば図１に示したボールベアリング２５に臨んでいて、圧送対象となる油の一部が双方のボールベアリング２５，２６や固定子６を含むハウジング本体３側およびカバー４側のそれぞれの空間Ｒ１，Ｒ２にも充満するようになっている。これにより、双方のボールベアリング２５，２６のほか、各コイル１５を含む固定子６や回転子７が圧送対象となる油のなかに浸漬されるかたちとなって、双方のボールベアリング２５，２６の潤滑と共に、固定子６や回転子７が油冷却されるようになっている。
【００３２】
したがって、このように構成された電動ポンプ１では、図１，２に示すように、回転子７と共に電動モータ１を形成している固定子６の各コイル１５に通電することにより、各コイル１５に対応する永久磁石１９が埋設されている回転子７、すなわち永久磁石１９が埋設されている回転子本体１７とアウタロータ１６とが一体化されている回転子７が、双方のボールベアリング２５，２６に案内されながら、例えば図２の時計回り方向である矢印Ｍ方向に回転することになる。
【００３３】
なお、図１では、軸部材２７と双方のサイドプレート１１，１２とが同心状に描かれているが、図２から明らかなように、実際には回転子７の両側に配置される双方のサイドプレート１１，１２の軸心に対して軸部材２７の軸心は偏心しているので、回転子７の回転に伴って双方のサイドプレート１１，１２までも回転してしまうことがない。
【００３４】
先に述べた回転子７の回転は、アウタロータ１６とインナロータ９との間に介在している複数の連結プレート１０を介して内側のインナロータ９に伝達される。図２に示すように、回転子７の軸心に対してインナロータ９の軸心は偏心しているので、インナロータ９はアウタロータ１６と一体的に回転する一方で、同時に軸部材２７を回転中心としてインナロータ９自体もまた、アウタロータ１６の内周面に内接しながら且つその内接位置を連続的に変化させながら回転することになる。
【００３５】
このようなアウタロータ１６の内周面に内接しながらの軸部材２７を回転中心とするインナロータ９の回転運動に伴い、そのインナロータ９の各スロット部２３に挿入されているそれぞれの連結プレート１０が揺動軸部１０ａを中心に揺動しながら各スロット部２３からの出没を繰り返すことになるので、ポンプ室Ｐ内での各連結プレート１０の出没によっていわゆる容積型のポンプとしての機能が発揮されるとになる。
【００３６】
より具体的には、アウタロータ１６とインナロータ９との間に配置された複数の連結プレート１０は、ポンプ室Ｐを複数の領域に隔離しているので、隣接する二つの連結プレート１０同士で挟まれた領域が図２の略三日月状の吸入口２９を通過する過程が吸い込み（吸入）行程となり、同様に隣接する二つの連結プレート１０同士で挟まれた領域が図２の略三日月状の吐出口３０を通過する過程が吐出行程となる。そして、このような挙動が連続して繰り返されることで、先に述べたようにポンプ部８による容積型のポンプとしての機能が発揮されることになる。
【００３７】
このようなポンプ部８が容積型のポンプとしての機能を発揮する過程において、図１に示したように、カバー４側のサイドプレート１２がアウタロータ１６およびインナロータ９の側面に圧縮コイルスプリング２８により押し付けられていて、そのサイドプレート１２の押し付け力を受けたアウタロータ１６およびインナロータ９がハウジング本体３側のサイドプレート１１に押し付けられている。このことは、アウタロータ１６とインナロータ９の両側に配置された双方のサイドプレート１１，１２が、圧縮コイルスプリング２８の弾性力で両者の間にアウタロータ１６とインナロータ９を挟み込んでいることを意味している。そのため、図１に示したように、ボルト１３によるハウジング本体３とカバー４との締結固定位置がポンプ部８から比較的大きく離れていたとしても、ポンプ部８の主要素であるアウタロータ１６とインナロータ９の側面に双方のサイドプレート１１，１２が常に密着していて、両者の合わせ面精度の向上と共にシール性の向上が図られていることになる。それによって、アウタロータ１６およびインナロータ９の回転が安定して行われると共に、ポンプ室Ｐからの油漏れが抑制されてポンプ効率も向上することになる。
【００３８】
その上、先に述べたように、アウタロータ１６およびインナロータ９に対する双方のサイドプレート１１，１２の密着面の一部にサイドクリアランスが設定されていて、その部分に油が介在して油潤滑が行われるようになっている。そのため、当該部分での偏摩耗を抑制できると共に、摩擦抵抗を低減することができ、これによってもまたアウタロータ１６およびインナロータ９が回転がより安定して行われるようになる。
【００３９】
また、回転子７が、回転中心位置に近い部分ではなく、径方向の外側部分で双方のボールベアリング２５，２６により両持ち支持形態で軸受支持されているので、回転子７の回転も安定して行われることになり、ボールベアリング２５，２６を含む電動ポンプ１の耐久性も向上することになる。
【００４０】
さらに、ハウジング本体３とカバー４とで形成されるハウジング２全体を厚肉にしたりあるいは剛性の高いものにする必要もなく、電動モータ５とポンプ部８とが一体化された電動ポンプ１として、図１に示すように偏平形状で且つコンパクトな構造とすることができる。
【００４１】
ここで、本実施の形態では、図２に示したように、アウタロータ１６とインナロータ９との間に複数の連結プレート１０が架橋的に介配置されているタイプのポンプ部８を例にとって説明したが、ポンプ部８の形式はこれに限定されるものではなく、例えばトロコイド式をはじめとする他の形式のポンプ部であっても良い。
【００４２】
また、本実施の形態では、図２に示したように、回転子７に関して、電動モータ５に要求される機能とポンプ部８に要求される機能とを共に十分に充足するべく、当該回転子７をアウタロータ１６と回転子本体１７とで形成したが、必要に応じて両者を同じ材質で完全に一体化された構造のものとして形成しても良い。
【符号の説明】
【００４３】
１…電動ポンプ
２…ハウジング
３…ハウジング本体
４…カバー（カバー部材）
５…電動モータ
６…固定子
７…回転子
８…ポンプ部
９…インナロータ
１０…連結プレート（プレート部材）
１１…サイドプレート
１２…サイドプレート
１５…コイル
１６…アウタロータ
１７…回転子本体
１９…永久磁石
２０…リム部
２５…ボールベアリング（軸受）
２６…ボールベアリング（軸受）
２８…圧縮コイルスプリング（弾性部材）
Ｐ…ポンプ室
【図１】
2018096269.tif 000003
【図２】
2018096269.tif 000004
【図３】
2018096269.tif 000005